(57)【要約】
【課題】　下段要素と上段要素とでなるテレビジョン受像機のシャーシにおいて、下段要素に上段要素を結合する際の作業手順から座付きビスの締付け作業を省略する。
【解決手段】　下段要素１の支持体２と上段要素５の取付部６との重なり箇所を前後２箇所で結合する。前側結合箇所では、支持体２側の凹入部２３の立上り壁２３ａに取付部６側の板片状の差込部６５ａを突き合わせ、凹入部２３の上面２３ｂと下面２３ｃとによって差込部６５ａを挟持させると共に、差込部６５ａの両側の片部６３ａ，６３ａで凹入部２３の立上り壁２３ａを左右方向で挟ませる。後側結合箇所では、支持体２側の脚部２８ｂに取付部５の開口６５を嵌めて係止部６５ａを対峙させ、係止爪２８ａと支持体２とによって係止部６５ａを挟持させると共に、辺部６５ｂ，６５ｂで脚部２８ｂを挟ませる。【選択図】　　　　図２
0003100115.tif 000002
【実用新案登録請求の範囲】
【請求項１】
上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、
　支持体と取付部との重なり箇所が前後２箇所で結合されていて、前側結合箇所では、支持体を形成している前側ポストの頂部に具備された凹入部の立上り壁に取付部側の板片状の差込部が突き合わされ、かつ、その凹入部の上面と下面とによって上記差込部が挟持されていると共に、その差込部の両側に一体に具備された一対の片部が上記凹入部の立上り壁を左右方向で挟んでいるのに対し、後側結合箇所では、支持体を形成している後側ポストの頂部に立ち上げられて前後方向撓み変形可能でかつ頂部に後向きの係止爪が突出された脚部に、取付部に開設されて上記係止爪と上記脚部とを挿通させている開口の口縁によって形成されている板片状の係止部が対峙し、かつ、上記係止爪と上記支持体とによってその係止部が挟持されていると共に、その口縁の両側に位置する一対の辺部が上記脚部を左右方向で挟んでおり、上記開口は、上記取付部を上記前側結合箇所を中心にして下方へ変位させることにより上記脚部を撓ませながら上記係止部に上記係止爪を乗り越えさせるときの上記脚部の撓み代を吸収し得る広さを有し、
　上記支持体が上記下段要素の左右両側に備わり、上記取付部が上記上段要素の左右両側に備わっていることを特徴とするテレビジョン受像機の合成樹脂製シャーシ。
【請求項２】
上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、
　支持体と取付部との重なり箇所が前後２箇所で結合されていて、前側結合箇所では、支持体側の凹入部の立上り壁に取付部側の板片状の差込部が突き合わされ、かつ、その凹入部の上面と下面とによって上記差込部が挟持されているのに対し、後側結合箇所では、支持体側に立ち上げられて前後方向撓み変形可能でかつ頂部に係止爪を有する脚部に取付部側の板片状の係止部が対峙し、かつ、上記係止爪と上記支持体とによってその係止部が挟持されていることを特徴とするテレビジョン受像機の合成樹脂製シャーシ。
【請求項３】
上記差込部の両側に一体に具備された一対の片部が上記凹入部の立上り壁を左右方向で挟み、上記係止部が、上記取付部に開設されて上記係止爪と上記脚部とを挿通させている開口の口縁によって形成されていると共に、その口縁の両側に位置する一対の辺部が上記脚部を左右方向で挟んでいる請求項２に記載したテレビジョン受像機の合成樹脂製シャーシ。
【請求項４】
上記開口は、上記取付部を上記前側結合箇所を中心にして下方へ変位させることにより上記脚部を撓ませながら上記係止部に上記係止爪を乗り越えさせるときの上記脚部の撓み代を吸収し得る広さを有している請求項３に記載したテレビジョン受像機の合成樹脂製シャーシ。
【考案の詳細な説明】
【技術分野】
【０００１】
　本考案は、テレビジョン受像機の合成樹脂製シャーシ、詳しくは、ビデオテープレコーダ一体型テレビジョン受像機に採用される合成樹脂製シャーシに関する。
【背景技術】
【０００２】
　図５及び図６を参照して従来例を説明する。図５は従来の合成樹脂製シャーシの平面図、図６（Ａ）は図５の要部の側面図、同（Ｂ）は同（Ａ）の要部を拡大した縦断側面図である。
【０００３】
　この合成樹脂製シャーシは、前後方向長さの長い下段要素１と、それよりも前後方向長さの短い上段要素５とを備えていて、下段要素１の左右両側にそれぞれ一体成形されている支持体２に、上段要素５の左右両側にそれぞれ一体成形されている取付部６が位置決めされた状態で重なり状に結合されている。さらに具体的には、支持体２が前側ポスト２１と後側ポスト２５とに分かれていて、それらの上に重ね合わされたリブ６１を備える板片状の支持体６に前後に長い長孔６２が備わり、その長孔６２に挿通された２本の座付きビス９１，９２のうちの一方が前側ポスト２１にねじ込まれ、そのうちの他方が後側ポスト２５にねじ込まれている。なお、図６（Ｂ）に示した後側ポスト２５には、その頂面２６に、取付部６の長孔６２に挿入されるボス２７が備わっている。なお、前側ポスト２１についても同様にその頂面２２（図６（Ｂ）参照）に取付部６の長孔６２に挿入されるボス（不図示）が備わっている。
【０００４】
　ビデオテープレコーダ一体型テレビジョン受像機において、このシャーシの下段要素１はトレイシャーシと称されてビデオデッキやメイン基板、チューナパーツなどが搭載され、上段要素５はＨＶシャーシと称されて電源基板などが搭載される。そして、シャーシを上記のように下段要素１とその上に積み重ねられて結合された上段要素５とによって形成すると、シャーシ全体の前後長さが短縮されるので、当該シャーシを運搬するときの梱包がコンパクトになるという利点や、上記テレビジョン受像機での収容スペースの前後長さを短縮して小形化を促進しやすいといった利点がある。
【０００５】
　他の従来例として、重量物を搭載したトレーシャーシをフロントキャビネットに仮止めする作業を容易に行うことができるような工夫を講じたトレーシャーシ仮止め機構が提案されている（たとえば、特許文献１参照）。
【０００６】
　さらに他の従来例として、テレビジョン受像機において、プリント板ホルダーに部品結合機能を付加させることによって、表示装置の部品固定用の部材を少なくして組立工数を削減することのできる部品固定装置が提案されている（たとえば、特許文献２参照）。
【０００７】
【特許文献１】特開平１０−９３８９４号公報
【特許文献２】特開平５−３２８２６２号公報
【考案の開示】
【考案が解決しようとする課題】
【０００８】
　しかしながら、図５及び図６で説明した従来例では、下段要素１に上段要素５を結合する際の作業手順に、２本の座付きビス９１，９２を締め付けるという煩わしい作業が含まれるためにその作業が煩わしいだけでなく、座付きビス９１，９２の締付けトルクにばらつきが生じやすいために双方の要素１，５の結合状態にばらつきが生じやすいという問題や、座付きビスが余分に必要になってそれだけ部品コストが嵩むという問題があった。
【０００９】
　本考案は以上の状況の下でなされたものであり、下段要素に上段要素を結合する際の作業手順から座付きビス自体や座付きビスの締付け作業を省略することによって、その作業性を改善し、併せて部品点数を削減して部品コストを低減しやすくし、しかも、下段要素と上段要素との結合状態にばらつきが生じにくいテレビジョン受像機の合成樹脂製シャーシを提供することを目的とする。
【課題を解決するための手段】
【００１０】
　本考案に係るテレビジョン受像機の合成樹脂製シャーシは、上下２段に亘って配備された下段要素と上段要素とを備え、下段要素に一体成形された支持体に、上段要素に一体成形された取付部が位置決めされた状態で重なり状に結合されている。そして、支持体と取付部との重なり箇所が前後２箇所で結合されていて、前側結合箇所では、支持体側の凹入部の立上り壁に取付部側の板片状の差込部が突き合わされ、かつ、その凹入部の上面と下面とによって上記差込部が挟持されているのに対し、後側結合箇所では、支持体側に立ち上げられて前後方向撓み変形可能でかつ頂部に係止爪を有する脚部に取付部側の板片状の係止部が対峙し、かつ、上記係止爪と上記支持体とによってその係止部が挟持されている。
【００１１】
　この構成であれば、前側結合箇所と後側結合箇所の２箇所で上段要素の取付部が下段要素の支持体に上下方向で位置決めされた状態で結合されるにもかかわらず、図５や図６などで説明した座付きビスを用いる必要がなく、また、座付きビスに代わる別部品を用いる必要もなくなる。また、頂部に係止爪を有する脚部や凹入部は、下段要素の支持体に一体成形されているので、支持体に対する取付部の取付状態が安定し、下段要素と上段要素との結合状態にばらつきが生じにくい。
【００１２】
　本考案では、上記差込部の両側に一体に具備された一対の片部が上記凹入部の立上り壁を左右方向で挟み、上記係止部が、上記取付部に開設されて上記係止爪と上記脚部とを挿通させている開口の口縁によって形成されていると共に、その口縁の両側に位置する一対の辺部が上記脚部を左右方向で挟んでいることが望ましい。これによれば、座付きビスや座付きビスに代わる別部品を用いることなく、前側結合箇所と後側結合箇所の２箇所で上段要素の取付部が下段要素の支持体に上下方向と左右方向とで位置決めされた状態で結合される。
【００１３】
　本考案において、上記開口は、上記取付部を上記前側結合箇所を中心にして下方へ変位させることにより上記脚部を撓ませながら上記係止部に上記係止爪を乗り越えさせるときの上記脚部の撓み代を吸収し得る広さを有していることが望ましい。これによれば、取付部の板片状の差込部を支持体の凹入部に差し込んだ後で、取付部側の開口を係止爪に嵌め、前側結合箇所を中心にして取付部を下方に押し下げて変位させると、係止部が支持体側の脚部を撓ませながらその頂部の係止爪を乗り越えて係止爪と支持体とによって挟持される。この作業を行うことは容易である。
【００１４】
　本考案に係るテレビジョン受像機の合成樹脂製シャーシは、次のように構成することも可能である。すなわち、上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、支持体と取付部との重なり箇所が前後２箇所で結合されていて、前側結合箇所では、支持体を形成している前側ポストの頂部に具備された凹入部の立上り壁に取付部側の板片状の差込部が突き合わされ、かつ、その凹入部の上面と下面とによって上記差込部が挟持されていると共に、その差込部の両側に一体に具備された一対の片部が上記凹入部の立上り壁を左右方向で挟んでいるのに対し、後側結合箇所では、支持体を形成している後側ポストの頂部に立ち上げられて前後方向撓み変形可能でかつ頂部に後向きの係止爪が突出された脚部に、取付部に開設されて上記係止爪と上記脚部とを挿通させている開口の口縁によって形成されている板片状の係止部が対峙し、かつ、上記係止爪と上記支持体とによってその係止部が挟持されていると共に、その口縁の両側に位置する一対の辺部が上記脚部を左右方向で挟んでおり、上記開口は、上記取付部を上記前側結合箇所を中心にして下方へ変位させることにより上記脚部を撓ませながら上記係止部に上記係止爪を乗り越えさせるときの上記脚部の撓み代を吸収し得る広さを有し、上記支持体が上記下段要素の左右両側に備わり、上記取付部が上記上段要素の左右両側に備わっている、という構成にすることも可能である。この考案の作用は、後述する実施形態を参照して詳細に説明する。
【考案の効果】
【００１５】
　以上のように、本考案によれば、下段要素に上段要素を結合する際の作業手順から座付きビス自体や座付きビスの締付け作業を省略してその作業性を改善し、併せて部品点数を削減して部品コストを低減しやすくなる。しかも、下段要素と上段要素との結合状態にばらつきが生じにくいテレビジョン受像機の合成樹脂製シャーシを提供することが可能になる。
【考案を実施するための最良の形態】
【００１６】
　図１は本考案に係るテレビジョン受像機のシャーシの一部省略平面図、図２は図１の要部の側面図、図３（Ａ）は支持体２の拡大平面図、同（Ｂ）は支持体２の拡大側面図、図４は取付部６の拡大平面図である。
【００１７】
　この合成樹脂製シャーシは、前後方向長さの長い下段要素１と、それよりも前後方向長さの短い上段要素５とを備えていて、下段要素１の左右両側にそれぞれ一体成形されている支持体２に、上段要素５の左右両側にそれぞれ一体成形されている取付部６が位置決めされた状態で重なり状に結合されている点、支持体２が前側ポスト２１と後側ポスト２５とに分かれている点で、図５又は図６で説明したシャーシと同様である。
【００１８】
　また、ビデオテープレコーダ一体型テレビジョン受像機において、このシャーシの下段要素１はトレイシャーシと称されてビデオデッキやメイン基板、チューナパーツなどが搭載され、上段要素５はＨＶシャーシと称されて電源基板などが搭載される。そして、シャーシを上記のように下段要素１とその上に積み重ねられて結合された上段要素５とによって形成すると、シャーシ全体の前後長さが短縮されるので、当該シャーシを運搬するときの梱包がコンパクトになるという利点や、上記テレビジョン受像機での収容スペースの前後長さを短縮して小形化を促進しやすいといった利点があるという点でも、図５又は図６で説明したシャーシと同様である。
【００１９】
　この実施形態では、上段要素５のリブ６１を備えた板片状の取付部６が、下段要素１の支持体２の前側ポスト２１と後側ポスト２５とに前後２箇所で結合されている。以下、この点を詳細に説明する。
【００２０】
　図３（Ａ）（Ｂ）のように、支持体２の前側ポスト２１の頂部に凹入部２３が備わっている。この凹入部２３は、前側ポスト２１から立ち上げられた立上り壁２３ａと、立上り壁２３ａの上端から後向きに突き出た上面２３ｂと、この上面２３ｂに対向している下面２３ｃとを備えていて、下面２３ｃは前側ポスト２１の頂面によって形成されている。これに対し、後側ポスト２５には、頂部に後向きの係止爪２８ａを備えた脚部２８ｂが立ち上げられていて、この脚部２８ｂは前後方向に弾性的に撓み変形可能である。他方、支持体２に重なり状に結合される上段要素５側の板片状の取付部６は、その前端部が凹入状に形作られていて、その凹入部分を形作っている前向き縁によって板片状の差込部６３が形成され、その差込部６３の両側には上記凹入部分を形作っている一対の片部６３ａ，６３ａが位置している。また、取付部６の後端部に矩形の開口６５が開設されており、その開口の後側の口縁によって板片状の係止部６５ａが形成され、その口縁６５ａの両側に一対の辺部６５ｂ，６５ｂが位置している。
【００２１】
　そして、支持体２と取付部６との前側結合箇所では、支持体２側の凹入部２３の立上り壁２３ａに取付部６側の板片状の差込部６３が突き合わされ、かつ、その凹入部２３の上面２３ｂと下面２３ｃとによって差込部６３が挟持されていると共に、一対の片部６３ａ，６３ａが凹入部２３の立上り壁２３ａを左右方向で挟んでいる。また、後側結合箇所では、支持体２の後側ポスト２５に立ち上げられている脚部２８ｂに、取付部６の開口６５の係止部６５ａが対峙し、かつ、係止爪２８ａと支持体の後側ポスト２５とによってその係止部６５ａが挟持されていると共に、一対の辺部６５ｂ，６５ｂが脚部２８ｂを左右方向で挟んでいる。このため、前側結合箇所と後側結合箇所との両方において、取付部６が上下方向及び左右方向で位置決めされた状態で支持体２に結合されている。
【００２２】
　次に、下段要素１に上段要素５を結合する作業は、たとえば次の手順で行うことができる。すなわち、最初に、取付部６を図２の仮想線のように斜めにしてその差込部６３を前側ポスト２１の凹入部２３に差し込むことによって上記したように結合し、次に、その前側結合箇所を中心にして取付部６を下方へ変位させることにより、後側ポスト２５の脚部２８ｂを後方へ撓ませながら開口６５に係止爪２８ａを挿入し、それにより係止部６５ａに係止爪２８ａを乗り越えさせることによって上記した後側結合箇所を形成する。したがって、この手順を採用するには、開口６５に、係止爪２８ａを係止部６５ａが乗り越えるときの脚部２８ｂの撓み代を吸収し得る広さを具備させておく必要がある。
【００２３】
　この手順を採用して下段要素１に上段要素５を結合すると、図５や図６で説明した座付きビス９１，９２は不要であり、しかも、凹入部２３や係止爪２８ａを備えた脚部２８ｂが、支持体２の前側ポスト２１や後側ポスト２５と一体成形されているので、支持体２に対する取付部６の取付状態が安定し、下段要素１と上段要素５との結合状態にばらつきが生じない。
【図面の簡単な説明】
【００２４】
【図１】本考案に係るテレビジョン受像機のシャーシの一部省略平面図である。
【図２】図１の要部の側面図である。
【図３】（Ａ）は支持体の拡大平面図、（Ｂ）は支持体の拡大側面図である。
【図４】取付部の拡大平面図である。
【図５】従来の合成樹脂製シャーシの平面図である。
【図６】（Ａ）は図５の要部の側面図、（Ｂ）は同（Ａ）の要部を拡大した縦断側面図である。
【符号の説明】
【００２５】
　１　下段要素
　２　支持体
　５　上段要素
　６　取付部
　２３　凹入部
　２３ａ　凹入部の立上り壁
　２３ｂ　凹入部の上面
　２３ｃ　凹入部の下面
　２８ａ　係止爪
　２８ｂ　脚部
　６３　差込部
　６３ａ　片部
　６５　開口
　６５ａ　係止部
【図１】
0003100115.tif 000003
【図２】
0003100115.tif 000004
【図３】
0003100115.tif 000005
【図４】
0003100115.tif 000006
【図５】
0003100115.tif 000007
【図６】
0003100115.tif 000008